(57)【要約】【課題】複数の種類の固定側排水継手に接続できる構成でありながら、移動側排水継手の外側に汚水が付着するのを防止することにより、固定側排水継手から移動側排水継手を外した時に接続部の周囲が不衛生となりにくい。【解決手段】本発明に係る移動式トイレ装置では、汚物を洗浄水と共に汚水として排水する便器本体と、便器本体に排水ホースを介して連結され、かつ建物に設けられた少なくとも２つ以上の配管径が異なる固定側排水継手に着脱自在に連結される移動側排水継手と、を備え、移動側排水継手は、第１管径である固定側排水継手に接続する第１排水接続部と、第１管径より小さい第２管径である固定側排水継手に接続する第２排水接続部と、第２排水接続部の端部に第１排水接続部の端部より前方に延出する延出部と、を有し、第２排水接続部の延出部から固定側排水継手に便器本体からの汚水が流れることを特徴とする。【選択図】図１
2015059302.tif 000002
【特許請求の範囲】
【請求項１】
汚物を洗浄水と共に汚水として排水する便器本体と、
前記便器本体に排水ホースを介して連結され、かつ建物に設けられた少なくとも２つ以上の配管径が異なる固定側排水継手に着脱自在に連結される移動側排水継手と、を備え、
前記移動側排水継手は、第１管径である前記固定側排水継手に接続する第１排水接続部と、第１管径より小さい第２管径である前記固定側排水継手に接続する第２排水接続部と、前記第２排水接続部の端部に前記第１排水接続部の端部より前方に延出する延出部と、を有し、
前記第２排水接続部の前記延出部から前記固定側排水継手に前記便器本体からの前記汚水が流れることを特徴とする移動式トイレ装置。
【請求項２】
前記移動側排水継手は、前記固定側排水継手の所定位置に接続される状態において、前記延出部の延出方向が垂直方向に対して傾き且つ下方に向くことを特徴とする請求項１に記載の移動式トイレ装置。
【請求項３】
前記移動側排水継手は、前記固定側排水継手の所定位置に接続される状態において、前記延出部の一部が垂直方向に配置される縦配管まで延出することを特徴とする請求項１又は請求項２に記載の移動式トイレ装置。
【発明の詳細な説明】
【技術分野】
【０００１】
本発明は、移動式トイレ装置の排水継手に関し、より具体的には、例えば、トイレ空間以外の場所で用をたすための移動式トイレ装置の排水継手に関する。
【背景技術】
【０００２】
従来、トイレ装置は予め設計施工されたトイレ空間に設置されるものであって、そのトイレ空間の場所によって適切な排水管の勾配や口径等が定められ、汚物や尿（屎尿）を含む汚水を下水系統へと排出するように構成されていた。その一方で、トイレ空間以外の場所で用を足さなければならない高齢者や病人等に対応するため、移動式トイレ装置が提案されている。
【０００３】
このような移動式トイレ装置として、例えば本出願人による特許文献１には、接続及び取り外し作業が可能な排水管の継手構造を有するものが記載されている。特許文献１に示されている如く、移動式トイレ装置においては、使用者の利便に供するべく、排水管を壁等にそれぞれ設けられた固定側排水継手に接続し易く、かつ、取り外し易い（つまり脱着が容易な）接続構造を採用することが好ましい。
【先行技術文献】
【特許文献】
【０００４】
【特許文献１】特願２０１２−２０４８９２号公報
【発明の概要】
【発明が解決しようとする課題】
【０００５】
建物に使用される配管としては、例えばＪＩＳ  Ｋ  ６７４３に規定される、２０Ａ、４０Ａと呼ばれるサイズの配管がある。その為、固定側排水継手のサイズも２０Ａ、４０Ａの２種類が存在する。従って、移動式トイレ装置の固定側排水継手もこの２種類の固定側排水継手に接続できる必要があるが、一種類の移動側排水継手で双方に接続できるように構成されることが好ましい。
【０００６】
そこで、固定側排水継手の２０Ａおよび４０Ａの二種類のサイズに対応できるように、移動側排水継手に同心円上の二種類の接続部を設けることが考えられる。しかしながら、このような構成とした場合、径の大きな４０Ａの固定側排水継手に接続すると、２０Ａ用の接続部が配管内部に存在することになる。その為、２０Ａ用の接続部の周囲に汚物や汚水が付着してしまい、固定側排水継手から移動側排水継手を外した時に２０Ａ用の接続部の周囲が不衛生であるという問題が生じる。
【０００７】
そこで本発明は、かかる事情に鑑みてなされたものであり、複数の種類の固定側排水継手に接続できる構成でありながら、移動側排水継手の外側に汚水が付着するのを防止し、固定側排水継手から移動側排水継手を外した時に接続部の周囲が不衛生となりにくい移動式トイレ装置用の排水継手を提供することを目的とする。
【課題を解決するための手段】
【０００８】
本発明に係る移動式トイレ装置では、汚物を洗浄水と共に汚水として排水する便器本体と、前記便器本体に排水ホースを介して連結され、かつ建物に設けられた少なくとも２つ以上の配管径が異なる固定側排水継手に着脱自在に連結される移動側排水継手と、を備え、前記移動側排水継手は、第１管径である前記固定側排水継手に接続する第１排水接続部と、第１管径より小さい第２管径である前記固定側排水継手に接続する第２排水接続部と、前記第２排水接続部の端部に前記第１排水接続部の端部より前方に延出する延出部と、を有し、前記第２排水接続部の前記延出部から前記固定側排水継手に前記便器本体からの前記汚水が流れることを特徴とする。
【０００９】
このような本発明によれば、第２排水接続部の延出部から固定側排水継手に汚水が流れることにより、第１排水接続部の端部と第２排水接続部の端部との間に汚水が溜まりにくい構成とすることができる。その為、複数の種類の固定側排水継手に接続できる構成でありながら、移動側排水継手の外側に汚水が付着するのを防止することにより、固定側排水継手から移動側排水継手を外した時に第２排水接続部の周囲が不衛生となりにくい。
【００１０】
また、本発明に係る移動式トイレ装置では、前記移動側排水継手は、前記固定側排水継手の所定位置に接続される状態において、前記延出部の延出方向が垂直方向に対して傾き且つ下方に向くことを特徴とする。
【００１１】
このような本発明によれば、延出部の延出方向が垂直方向に対して傾き且つ下方に向くことにより、延出部に残った汚水が重力によって固定側排水継手により流れやすい構成とすることができる。その為、移動側排水継手の外側に汚水が付着するのをより防止することにより、固定側排水継手から移動側排水継手を外した時に第２排水接続部の周囲が不衛生となりにくい。尚、延出部の延出方向とは、例えば延出部の断面における中心線などが考えられる。
【００１２】
また、本発明に係る移動式トイレ装置では、前記移動側排水継手は、前記固定側排水継手の所定位置に接続される状態において、前記延出部の一部が垂直方向に配置される縦配管まで延出することを特徴とする。
【００１３】
このような本発明によれば、延出部の一部が垂直方向に配置される縦配管まで延出することにより、便器本体からの汚水が縦配管に直接流れてより溜まりにくい構成とすることができる。その為、移動側排水継手の外側に汚水が付着するのをより防止することにより、固定側排水継手から移動側排水継手を外した時に第２排水接続部の周囲が不衛生となりにくい。
【発明の効果】
【００１４】
本発明に係る移動式トイレ装置は複数の種類の固定側排水継手に接続できる構成でありながら、移動側排水継手の外側に汚水が付着するのを防止することにより、固定側排水継手から移動側排水継手を外した時に接続部の周囲が不衛生となりにくい。
【図面の簡単な説明】
【００１５】
【図１】本発明に係る移動式トイレ装置の好適な一実施形態の構成を模式的に示す斜視図である。
【図２】図１に示す移動式トイレ装置の一部（排水管の排水継手周辺）を模式的に示す断面図である。
【図３】図１に示す移動式トイレ装置の一部（排水管の排水継手周辺）を模式的に示す拡大図である。
【図４】図１に示す移動式トイレ装置の制御システムを示すシステム構成図である。
【図５】図１に示す移動式トイレ装置の一部（貯留排出タンク周辺）を模式的に示す拡大図である。
【図６】図１に示す移動式トイレ装置の一部（貯留排出タンク周辺）を模式的に示す拡大図である。
【発明を実施するための形態】
【００１６】
以下、添付図面を参照しながら本発明の実施の形態について説明を行う。説明の理解を容易にするため、各図面において同一の構成要素に対しては可能な限り同一の符号を付して、重複する説明は省略する。また、寸法比率は、図示の比率に限定されるものではない。さらに、以下の実施の形態は、本発明を説明するための例示であり、本発明をその実施の形態のみに限定する趣旨ではない。またさらに、本発明は、その要旨を逸脱しない限り、さまざまな変形が可能である。
【００１７】
これらの図に示す如く、移動式トイレ装置１０は、例えばトイレ室以外の居室空間Ｒ（病室、寝室、居室等の使用者が生活居住等する空間）に設置可能な可搬型（ポータブルタイプ）の便器本体１、及び、洗浄水が供給され、かつ、後述する汚水の貯留排出タンク３（汚水排出部）を含む給排水ユニット２を有する移動ユニット１００を備えている。
【００１８】
ここで、便器本体１への洗浄水供給方式は、特に制限されず、便器本体１の設置状況や設置場所に応じて適宜選択することができ、例えば、給排水ユニット２に給水タンクを設け、その給水タンクに貯水し、貯めた洗浄水を給排水ユニット２から便器本体１のボウル部１１に流すように構成してもよいし、給排水ユニット２に給水タンクを設けずに、建築躯体側の水道系統に直結し、給排水ユニット２で洗浄水として給水を受け、便器本体１のボウル部１１に流すように構成してもよい。また、洗浄水の給水系統には、洗浄水の供給及び供給停止を行うための例えば電磁弁等の開閉弁が設けられている。このように、洗浄水供給方式としては、便器本体１に洗浄水を供給するあらゆる手段を採用し得る。
【００１９】
便器本体１は、排便や拭き取り紙といった汚物や尿（屎尿）を一時的に受け止める凹面が形成されてなるボウル部１１と、そのボウル部１１に連通するようにボウル部１１の底部下方から屈曲管状に延在する排水流路１２を有している。また、排水流路１２は、便器本体１の例えば背面から外部へ延設されており、汚水Ｗを貯留するための例えば槽状の空間を有する貯留排出タンク３に接続されている。
【００２０】
排水流路１２の接続端部は、貯留排出タンク３の内部空間に開口しており、その開口を開閉するための例えばフラップ弁が設けられていてもよい。さらに、貯留排出タンク３には、通気弁３１とエアバッグ３２が設けられている。この通気弁３１としては、汚水Ｗを流す時のみ開放されて貯留排出タンク３の内部空間及びそれに連通する排水経路に空気を取り込むことができ、かつ、その後すぐに閉止される弁であれば、特に制限されず、例えばドルゴ通気弁等が挙げられる。また、エアバッグ３２は、貯留排出タンク３の内部空間及びそれに連通する排水経路内の圧力を調整するためのものである。
【００２１】
またさらに、本実施形態においては、貯留排出タンク３の内部にパルセータ４が設けられている。このパルセータ４は、貯留排出タンク３に貯められた汚水Ｗ中の汚物を回転動作によって攪拌しながら粉砕し、その粉砕された汚物を含む汚水Ｗを排水系統へと圧送する機能を有する。このパルセータ４は、かかる攪拌、粉砕、及び圧送機能のうち少なくとも攪拌機能を有するものであれば特に制限されず、例えば、モータ及びそれに回動可能に接続された回転軸等の駆動手段、並びに、その駆動手段に接合された底板等の粉砕手段、及びインペラ（羽根）等の圧送手段を有するものが挙げられる（より具体的には、例えば、本出願人による特開２０１２−１８８８８４号明細書に記載された粉砕圧送部２０を好適に用いることができる。）。
【００２２】
また、移動ユニット１００の給排水ユニット２には、洗浄水が流通する給水管Ｆ１、及び、汚水Ｗが流通する排水管Ｆ２が接続されている。給水管Ｆ１は、可撓性を有するフレキ管であり、その一方端部が給排水ユニット２の給水側接続口に接続され、かつ、他方端部が建築躯体である居室空間Ｒの壁Ｒｗに設けられた給水継手（図示せず）に接続される。一方、排水管Ｆ２も可撓性を有するフレキ管であり、その一方端部が給排水ユニット２の貯留排出タンク３の排水側接続口に接続され、かつ、他方端部に設けられた移動側排水継手５が建築躯体である居室空間Ｒの壁Ｒｗに設けられた固定側排水継手８２に接続される。このようにして、洗浄水が給水管Ｆ１を通して給排水ユニット２を経て便器本体１へ供給され、また、汚水Ｗが排水管Ｆ２を通して最終的に下水系統へ移送排出される。
【００２３】
また、便器本体１を移動した時に移動側排水継手５が引っ張られ、移動側排水継手５が抜けることがないように、排水管Ｆ２を覆うカバー部材９１の端部が居室空間Ｒの壁Ｒｗにカバー部材固定部９２として固定されている。これにより、便器本体１を移動した時にまずカバー部材固定部９２が引っ張られ、移動側排水継手５が直接引っ張られることがなく、移動側排水継手５が抜けることを防止することができる。
【００２４】
次に、移動側排水継手５と固定側排水継手８２の接続について説明する。移動側排水継手５は、第１管径である固定側排水継手８２に接続する第１排水接続部５１と、第１管径より小さい第２管径である固定側排水継手８２に接続する第２排水接続部５２と、第２排水接続部５２の端部に第１排水接続部５１の端部より前方に延出する延出部５２１と、を有し、第２排水接続部５２の延出部５２１から固定側排水継手８２に便器本体１からの汚水Ｗが流れるため、第１排水接続部５１の端部と第２排水接続部５２の端部との間に汚水Ｗが溜まりにくい構成とすることができる。その結果、複数の種類の固定側排水継手８２に接続できる構成でありながら、移動側排水継手５の外側に汚水Ｗが付着するのを防止することにより、固定側排水継手８２から移動側排水継手５を外した時に第２排水接続部５２の周囲が不衛生となりにくい。
【００２５】
また、移動側排水継手５は、固定側排水継手８２の所定位置に接続される状態において、延出部５２１の延出方向が垂直方向に対して傾き且つ下方に向くため、延出部５２１に残った汚水が重力によって固定側排水継手８２により流れやすい構成とすることができる。また、移動側排水継手５は、固定側排水継手８２の所定位置に接続される状態において、延出部５２１の一部が垂直方向に配置される縦配管９３まで延出するため、便器本体１からの汚水Ｗが縦配管９３に直接流れてより溜まりにくい構成とすることができる。その結果、移動側排水継手５の外側に汚水Ｗが付着するのをより防止することにより、固定側排水継手８２から移動側排水継手５を外した時に第二排水接続部５２の周囲が不衛生となりにくい。
【００２６】
このように構成された移動式トイレ装置１０の動作について、図４に示す便器本体１の内部に設置された制御部５０を含む制御システムの構成を参照しつつ、以下に説明する。移動式トイレ装置１０は、リモコン装置Ｃによって操作することができ、また、先に説明した構成要素以外に、例えば給排水ユニット２の給水タンク（設けられている場合）における洗浄水の水位を検知及び監視（モニター）する水位センサ１３、貯留排出タンク３の内部に異物（例えば、おむつ、非水溶性のティッシュ、衣服、ガム等）が許容量以上溜まっているか否かを検知及び監視するための異常センサ１４、並びに、使用者等に異常や点検時期を視覚的に報知するための表示手段６１、及び、その表示手段６１によって報知するのと同等の事項（内容）を聴覚的に音声で知らせるための音声手段６２を備えている。
【００２７】
まず、移動式トイレ装置１０は、通常の状態において、図１に示す如く、排水流路１２が水封されており、排水流路１２よりも下流側からの臭気が便器本体１のボウル部１１側へ漏洩することが防止されている。すなわち、便器本体１が封水機能を有している。ボウル部１１で一旦受け止められた汚物は、その封水部分の水（前回供給された洗浄水の残部）と混合される。
【００２８】
この状態で、使用者がリモコンＣを操作して便器本体１の洗浄指令を送出すると、制御部５０はその送信信号に基づいて、給水系統の例えば電磁弁を開放し、これにより、洗浄水が便器本体１のボウル部１１へ供給される。また、それとともに、制御部５０は、貯留排出タンク３内に挿通されている排水経路１２の端部に設けられたフラップ弁を開放し、これにより、汚水Ｗが排水経路１２を通して貯留排出タンク３内へ排出搬送され、そこに一旦貯留される。
【００２９】
なお、リモコン操作Ｃの有無に拘らず、例えば給排水ユニット２の給水タンクにおける洗浄水の水位を検知した信号が、水位センサ１３から制御部５０へ定常的に送出されており、洗浄水を流すのに十分な水量がない場合には、制御部５０の制御指令に基づいて、給水を促す警句が表示手段６１に表示され、また、音声手段６２から発声される。また、異常センサ１４からは、貯留排出タンク３の内部に溜まった異物（例えば、おむつ、非水溶性のティッシュ、衣服、ガム等）の検知信号が制御部５０へ定常的に送出されており、貯留排出タンク３内に許容量以上の異物が蓄積された場合には、その異常を知らせる警句が表示手段６１に表示され、また、音声手段６２から発声される。
【００３０】
さらに、洗浄水が便器本体１に供給される際、通気弁３１も一瞬開放され、貯留排出タンク３の内部空間及びそれに連通する排水経路内の空間に空気が取り込まれるので、それらの空間内部は減圧されることがなく、汚水Ｗが円滑に移送される。また、開放された通気弁３１は、その後直ちに閉止されるので、汚水Ｗの臭気が貯留排出タンク３から外部へ漏出することが防止される。
【００３１】
こうして汚水Ｗが便器本体１から貯留排出タンク３へ移送されると、制御部５０からの制御指令信号に基づいて、パルセータ４が駆動される。これにより、貯留排出タンク３内の汚水Ｗが攪拌され、汚水Ｗ中の汚物が粉砕されながら洗浄水と更に混合され、その混合物がまた更に攪拌されるので、汚水Ｗの流動性がより高められる。また、パルセータ４の回転によって、それに備わるインペラ等の圧送手段が、汚水Ｗを排水管Ｆ２へ押し出し、これにより、貯留排出タンク３内の汚水Ｗが排水管Ｆ２を通って排水継手８２から下流の下水系統へ圧送される。
【００３２】
また、図５や図６で示すように、可撓性を有するフレキ管で形成される給水管Ｆ１や排水管Ｆ２が給排水ユニット２の台座上に設けられており、便器本体１を移動させた時に折れ曲がらないようにするためにその台座上にホースガイド９４が設けられている。特に、ホースガイド９４に形成されるＲ部の曲率をフレキ管が折れ曲がる曲率よりも大きくすることにより、フレキ管が折れ曲がることを防止してフレキ管の寿命を延ばすように工夫している。
【００３３】
なお、本発明は上記の実施の形態に限定されるものではなく、その要旨を変更しない限度において様々な変形が可能である。例えば、便器本体１の形式は特に制限されるものではなく、例えばサイホン式やサイホンジェット式の便器を採用し得る。また、移動ユニット１００においては、便器本体１と給排水ユニット２が一体に設けられている形態に限定させず、両者が別体に形成されていてもよく、さらに、先述したとおり、給排水ユニット２には給水タンクが設けられていてもいなくてもよい。
【００３４】
また、上述した具体例に、当業者が適宜設計変更を加えたものも、本発明の特徴を備えている限り、本発明の範囲に包含される。例えば、前述した各具体例が備える各要素およびその配置、材料、条件、形状、サイズ等は、例示したものに限定されるわけではなく適宜変更することができる。さらに、前述した各実施の形態が備える各要素は、技術的に可能な限りにおいて組み合わせることができ、これらを組み合わせたものも本発明の特徴を含む限り本発明の範囲に包含される。
【符号の説明】
【００３５】
１：便器本体
２：給排水ユニット
３：貯留排出タンク（汚水排出部）
４：パルセータ
５：移動側排水継手
５１：第１排水接続部
５２：第２排水接続部
５２１：延出部
１０：移動式トイレ装置
１１：ボウル部
１２：排水流路
１３：水位センサ
１４：異常センサ
３１：通気弁
３２：エアバッグ
５０：制御部
６１：表示手段
６２：音声手段
８２：固定側排水継手
９１：カバー部材
９２：カバー部材固定部
９３：縦配管
９４：ホースガイド
１００：移動ユニット
Ｃ：リモコン装置
Ｆ１：給水管
Ｆ２：排水管
Ｒ：居室空間
Ｒｗ：壁（建築躯体）
Ｗ：汚水
【図１】
2015059302.tif 000003
【図２】
2015059302.tif 000004
【図３】
2015059302.tif 000005
【図４】
2015059302.tif 000006
【図５】
2015059302.tif 000007
【図６】
2015059302.tif 000008